(57)【要約】【課題】使用による品質の低下を抑止することのできる画像読取装置を提供する。【解決手段】画像読取装置は、フラットベッドの原稿の画像を読み取る読取部３０Ｂと、回転軸ＡＸ１を中心として揺動する開閉動作を行い、かつ閉じた位置にある場合にフラットベッドに原稿を搬送する用紙搬送部３０Ａと、読取部３０Ｂに対して用紙搬送部３０Ａを揺動可能に支持するヒンジ４０ｂとを備えている。ヒンジ４０ｂは、回転軸ＡＸ１に沿って延在する軸部４２と、読取部３０Ｂに固定された取付部材４３と、用紙搬送部３０Ａに固定され、回転軸ＡＸ１を中心として揺動する取付部材４４と、取付部材４４の揺動に応じて伸縮する緩衝部材４５とを含んでいる。画像読取装置は、用紙搬送部３０Ａの開閉動作の回数の増加に応じて、用紙搬送部３０Ａの重心の位置を回転軸ＡＸ１に接近する方向に移動させる重心移動部をさらに備えている。【選択図】図４
2018067777.tif 000002
【特許請求の範囲】
【請求項１】
読取面の原稿の画像を読み取る読取手段と、
前記読取面を覆う閉じた位置と、前記読取面を露出する開いた位置との間で回転軸を中心として揺動する開閉動作を行い、かつ閉じた位置にある場合に前記読取面に原稿を搬送する搬送手段と、
前記読取手段に対して前記搬送手段を揺動可能に支持するヒンジとを備え、
前記ヒンジは、
前記回転軸に沿って延在する軸部と、
前記読取手段に固定された第１の部材と、
前記搬送手段に固定され、前記回転軸を中心として前記第１の部材に対して相対的に揺動する第２の部材と、
前記第２の部材の揺動に応じて伸縮する緩衝部材とを含み、
前記搬送手段の開閉動作の回数の増加に応じて、前記搬送手段の重心の位置を前記回転軸に接近する方向に移動させる重心移動手段をさらに備えた、画像読取装置。
【請求項２】
前記重心移動手段は、前記搬送手段の重心の位置を前記回転軸から遠ざける方向には移動させない、請求項１に記載の画像読取装置。
【請求項３】
前記重心移動手段は、前記搬送手段の開閉動作の回数の増加に応じて、前記回転軸に接近する重りを含む、請求項１または２に記載の画像読取装置。
【請求項４】
前記重りは、前記搬送手段が一回の開閉動作を行う度に一定の距離だけ移動する、請求項３に記載の画像読取装置。
【請求項５】
前記重心移動手段は、
前記軸部に固定された第１の歯車と、
前記搬送手段に回転可能に支持され、前記第１の歯車と直接的または間接的に噛み合う第２の歯車と、
回転により前記重りを移動させる回転部材と、
前記搬送手段が前記閉じた位置から前記開いた位置へ揺動する開動作、および前記搬送手段が前記開いた位置から前記閉じた位置へ揺動する閉動作のうち一方の動作を行う場合に前記第２の歯車の回転力を前記回転部材に伝達し、前記搬送手段が前記開動作および前記閉動作のうち他方の動作を行う場合に前記第２の歯車の回転力を前記回転部材に伝達しないワンウェイクラッチとをさらに含む、請求項３または４に記載の画像読取装置。
【請求項６】
前記回転部材は、
前記回転軸から相対的に近い側に設けられ、前記ワンウェイクラッチから伝達された回転力により回転する第１のプーリーと、
前記回転軸から相対的に遠い側において回転可能に支持された第２のプーリーと、
前記第１および第２のプーリーに懸架された懸架部材とを含み、
前記重りは、前記懸架部材の特定の位置に固定される、請求項５に記載の画像読取装置。
【請求項７】
前記懸架部材の延在方向に沿って延在する回転体をさらに備え、
前記回転部材は、前記懸架部材に固定され、前記懸架部材の前記特定の位置において前記重りを回転可能に支持する回転支持部材をさらに含み、
前記重りは、前記回転体と一体的に回転するフライホイールである、請求項６に記載の画像読取装置。
【請求項８】
前記重心移動手段は、
前記第２の歯車と直接的または間接的に噛み合う第１の歯面と、前記第１の歯面とは異なる平面内に存在する第２の歯面とを含むラックと、
前記ラックの前記第２の歯面と直接的または間接的に噛み合い、前記ワンウェイクラッチに前記第２の歯車の回転力を伝達する第３の歯車とを含み、
前記重りは前記回転部材から延在し、前記回転軸とは異なる揺動軸を中心として揺動する、請求項５に記載の画像読取装置。
【請求項９】
前記ヒンジは２つであり、２つの前記ヒンジのうち前記搬送手段から受ける荷重が大きい方のヒンジである第１のヒンジと、前記２つのヒンジのうち前記搬送手段から受ける荷重が小さい方のヒンジである第２のヒンジとよりなり、
前記第１のヒンジと前記揺動軸との距離は、前記第２のヒンジと前記揺動軸との距離よりも小さく、前記重りは前記第２のヒンジに接近する方向に揺動する、請求項８に記載の画像読取装置。
【請求項１０】
前記重心移動手段は、
前記第２の歯車と直接的または間接的に噛み合う第１の歯面と、前記第１の歯面とは異なる平面内に存在する第２の歯面とを含むラックと、
前記ラックの前記第２の歯面と直接的または間接的に噛み合い、前記ワンウェイクラッチに前記第２の歯車の回転力を伝達する第３の歯車と、
前記回転部材から延在するアームとをさらに含み、
前記重りは、前記搬送手段の開閉動作の回数の増加に応じて、前記アームに沿って前記回転軸に接近する、請求項５に記載の画像読取装置。
【請求項１１】
前記回転部材は、
前記ワンウェイクラッチから伝達された回転力により回転する第１のベベルギアと、
前記第１のベベルギアと噛み合う第２のベベルギアと、
前記第２のベベルギアに固定され、前記回転軸に接近する方向に延在し、前記重りと噛み合うネジとを含む、請求項５に記載の画像読取装置。
【請求項１２】
前記ヒンジは２つであり、２つの前記ヒンジのうち前記搬送手段から受ける荷重が大きい方のヒンジである第１のヒンジと、前記２つのヒンジのうち前記搬送手段から受ける荷重が小さい方のヒンジである第２のヒンジとよりなり、
前記ネジは、前記回転軸から相対的に遠い側の端部から前記回転軸に相対的に近い側の端部へ向かうに従って、前記第１のヒンジから前記読取手段の主走査方向に延在する第１の基準線から離れて前記第２のヒンジから前記読取手段の主走査方向に延在する第２の基準線に接近する、請求項１１に記載の画像読取装置。
【発明の詳細な説明】
【技術分野】
【０００１】
本発明は、画像読取装置に関する。より特定的には、本発明は、使用による品質の低下を抑止することのできる画像読取装置に関する。
【背景技術】
【０００２】
画像読取装置は、原稿に光を照射し、原稿の画像で反射した光を受光して画像を読み取る。画像読取装置には、ＡＤＦ（Ａｕｔｏ  Ｄｏｃｕｍｅｎｔ  Ｆｅｅｄｅｒ）などの自動原稿搬送装置を搭載したものがある。ＡＤＦを搭載した画像読取装置によれば、始めに原稿をＡＤＦ上にセットしておけば、複数の原稿を１枚ずつ搬送しながら自動的に原稿の画像を画像読取装置で読み取ることができる。
【０００３】
ＡＤＦによって原稿を搬送しながら原稿の画像を画像読取装置で読み取る場合、ＡＤＦは、フラットベット（読取面）を覆うように閉じた状態にされる。
【０００４】
一方、ＡＤＦによって搬送することのできないブック、厚紙、光沢紙などの原稿は、フラットベッドに載置することにより画像が読み取られる。この場合、ＡＤＦは、フラットベットに載置された原稿をカバーするために、フラットベットを露出するように開いた状態にされる。
【０００５】
ＡＤＦは重いため、開いた状態とするにはユーザーは大きな力を必要とする。また、原稿をフラットベットに載置する際には、ＡＤＦを開いた状態のまま静止させる（フリーストップ状態とする）必要がある。ＡＤＦを開いた状態にする際に必要なユーザーの力を低減し、ＡＤＦを開いた状態のまま静止させるため、一般的に、ヒンジ装置によってＡＤＦに対して回転モーメントを与えている。
【０００６】
ヒンジ装置に関する技術は、たとえば下記特許文献１〜３などに開示されている。下記特許文献１には、相対的に回動自在になるように回転軸で連結された第１および第２の取付部材と、第１および第２の取付部材の回動に応じて伸縮するばねなどの緩衝部材とを備えたヒンジ装置が開示されている。このヒンジ装置では、第１の取付部材に取り付けられたＡＤＦの重みによる回転モーメントと均衡がとれるように、緩衝部材による回転モーメントが適宜設定されている。
【０００７】
下記特許文献２には、相対的に回動する第１および第２の取付部材と、緩衝部材と、衝撃緩和手段（ダンパー）とを備えたヒンジ装置において、自重落下し始める前に衝撃緩和手段が作動するヒンジ装置が開示されている。
【０００８】
下記特許文献３には、画像形成装置において、画像記録装置を配置する本体フレームに対して支軸とダンパ部材とを介して揺動フレームを開閉可能に設ける技術が開示されている。揺動フレームには、ウエイト移動部材を用いてウエイト部材が移動可能に設けられ、揺動フレームを開いた際には、ウエイト部材が突出端部側に移動し、フレームを閉じる際には支軸側に移動する。これにより、揺動フレームの開閉に際してのフレームのバランスをウエイト部材の移動により調整することができる。
【先行技術文献】
【特許文献】
【０００９】
【特許文献１】特開２００３−６９７６４号公報
【特許文献２】特開２００６−３４９０２２号公報
【特許文献３】特開２０００−９８６７１号公報
【発明の概要】
【発明が解決しようとする課題】
【００１０】
従来の技術では、ＡＤＦの開閉動作の回数が増加するに従って、ヒンジ装置が劣化し（特にバネなどの緩衝部材にへたりが発生し）、ヒンジ装置の回転モーメントが低下する。これにより、ＡＤＦを開いた状態にする際に必要なユーザーの力が大きくなったり、ＡＤＦを開いた状態のまま静止させることが困難になったりする現象が生じ、使用による品質の低下を招いていた。
【００１１】
ここで、ヒンジ装置を再調整したり新品に交換することでヒンジ装置の回転モーメントを維持する方法が考えられる。しかし、この方法では、作業によりユーザーが画像読取装置を使用することができない時間（ダウンタイム）が発生する。また、上記のような品質の低下が発生した時点で作業を依頼するため、ユーザーは作業完了までの間、不具合を伴ったまま画像読取装置を使用しなければならない。
【００１２】
また、ＡＤＦの開閉動作の回数の増加による回転モーメントの低下を考慮して、ヒンジ装置の回転モーメントの初期値を高く設定する方法も考えられる。しかし、この方法では、ＡＤＦの開閉動作の回数が少ない初期状態において回転モーメントが過剰となる。その結果、回転モーメントを抑えるための補助機能が必要となり、機械の大型化やコストの増加を招く。
【００１３】
本発明は、上記課題を解決するためのものであり、その目的は、使用による品質の低下を抑止することのできる画像読取装置を提供することである。
【課題を解決するための手段】
【００１４】
本発明の一の局面に従う画像読取装置は、読取面の原稿の画像を読み取る読取手段と、読取面を覆う閉じた位置と、読取面を露出する開いた位置との間で回転軸を中心として揺動する開閉動作を行い、かつ閉じた位置にある場合に読取面に原稿を搬送する搬送手段と、読取手段に対して搬送手段を揺動可能に支持するヒンジとを備え、ヒンジは、回転軸に沿って延在する軸部と、読取手段に固定された第１の部材と、搬送手段に固定され、回転軸を中心として第１の部材に対して相対的に揺動する第２の部材と、第２の部材の揺動に応じて伸縮する緩衝部材とを含み、搬送手段の開閉動作の回数の増加に応じて、搬送手段の重心の位置を回転軸に接近する方向に移動させる重心移動手段をさらに備える。
【００１５】
上記画像読取装置において好ましくは、重心移動手段は、搬送手段の重心の位置を回転軸から遠ざける方向には移動させない。
【００１６】
上記画像読取装置において好ましくは、重心移動手段は、搬送手段の開閉動作の回数の増加に応じて、回転軸に接近する重りを含む。
【００１７】
上記画像読取装置において好ましくは、重りは、搬送手段が一回の開閉動作を行う度に一定の距離だけ移動する。
【００１８】
上記画像読取装置において好ましくは、重心移動手段は、軸部に固定された第１の歯車と、搬送手段に回転可能に支持され、第１の歯車と直接的または間接的に噛み合う第２の歯車と、回転により重りを移動させる回転部材と、搬送手段が閉じた位置から開いた位置へ揺動する開動作、および搬送手段が開いた位置から閉じた位置へ揺動する閉動作のうち一方の動作を行う場合に第２の歯車の回転力を回転部材に伝達し、搬送手段が開動作および閉動作のうち他方の動作を行う場合に第２の歯車の回転力を回転部材に伝達しないワンウェイクラッチとをさらに含む。
【００１９】
上記画像読取装置において好ましくは、回転部材は、回転軸から相対的に近い側に設けられ、ワンウェイクラッチから伝達された回転力により回転する第１のプーリーと、回転軸から相対的に遠い側において回転可能に支持された第２のプーリーと、第１および第２のプーリーに懸架された懸架部材とを含み、重りは、懸架部材の特定の位置に固定される。
【００２０】
上記画像読取装置において好ましくは、懸架部材の延在方向に沿って延在する回転体をさらに備え、回転部材は、懸架部材に固定され、懸架部材の特定の位置において重りを回転可能に支持する回転支持部材をさらに含み、重りは、回転体と一体的に回転するフライホイールである。
【００２１】
上記画像読取装置において好ましくは、重心移動手段は、第２の歯車と直接的または間接的に噛み合う第１の歯面と、第１の歯面とは異なる平面内に存在する第２の歯面とを含むラックと、ラックの第２の歯面と直接的または間接的に噛み合い、ワンウェイクラッチに第２の歯車の回転力を伝達する第３の歯車とを含み、重りは回転部材から延在し、回転軸とは異なる揺動軸を中心として揺動する。
【００２２】
上記画像読取装置において好ましくは、ヒンジは２つであり、２つのヒンジのうち搬送手段から受ける荷重が大きい方のヒンジである第１のヒンジと、２つのヒンジのうち搬送手段から受ける荷重が小さい方のヒンジである第２のヒンジとよりなり、第１のヒンジと揺動軸との距離は、第２のヒンジと揺動軸との距離よりも小さく、重りは第２のヒンジに接近する方向に揺動する。
【００２３】
上記画像読取装置において好ましくは、重心移動手段は、第２の歯車と直接的または間接的に噛み合う第１の歯面と、第１の歯面とは異なる平面内に存在する第２の歯面とを含むラックと、ラックの第２の歯面と直接的または間接的に噛み合い、ワンウェイクラッチに第２の歯車の回転力を伝達する第３の歯車と、回転部材から延在するアームとをさらに含み、重りは、搬送手段の開閉動作の回数の増加に応じて、アームに沿って回転軸に接近する。
【００２４】
上記画像読取装置において好ましくは、回転部材は、ワンウェイクラッチから伝達された回転力により回転する第１のベベルギアと、第１のベベルギアと噛み合う第２のベベルギアと、第２のベベルギアに固定され、回転軸に接近する方向に延在し、重りと噛み合うネジとを含む。
【００２５】
上記画像読取装置において好ましくは、ヒンジは２つであり、２つのヒンジのうち搬送手段から受ける荷重が大きい方のヒンジである第１のヒンジと、２つのヒンジのうち搬送手段から受ける荷重が小さい方のヒンジである第２のヒンジとよりなり、ネジは、回転軸から相対的に遠い側の端部から回転軸に相対的に近い側の端部へ向かうに従って、第１のヒンジから読取手段の主走査方向に延在する第１の基準線から離れて第２のヒンジから読取手段の主走査方向に延在する第２の基準線に接近する。
【発明の効果】
【００２６】
本発明によれば、使用による品質の低下を抑止することのできる画像読取装置を提供することができる。
【図面の簡単な説明】
【００２７】
【図１】本発明の第１の実施の形態におけるＭＦＰ１００の正面側の外観を模式的に示す図である。
【図２】本発明の第１の実施の形態におけるスキャナー部３０の構成を示す断面図である。
【図３】本発明の第１の実施の形態におけるスキャナー部３０の背面側の外観を模式的に示す図である。
【図４】本発明の第１の実施の形態におけるヒンジ４０ｂの構成を模式的に示す、図３のＩＶ−ＩＶ線に沿った断面図である。
【図５】本発明の第１の実施の形態における重心移動部１の構成を示す断面図であって、図３のＶ−Ｖ線に沿った断面図である。
【図６】図５におけるプーリー５４付近の拡大図である。
【図７】用紙搬送部３０Ａが閉じた位置にある状態で、図５中上側から見た場合のプーリー５４付近の拡大図である。
【図８】本発明の第２の実施の形態における重心移動部１の構成を示す断面図であって、図３のＶＩＩＩ−ＶＩＩＩ線に沿った断面図である。
【図９】図８におけるギヤ６６付近の拡大図である。
【図１０】図９中矢印Ｗ１で示す方向から見た場合の重心移動部１の構成を示す図である。
【図１１】本発明の第２の実施の形態における用紙搬送部３０Ａの重心の位置の変化を模式的に示す図である。
【図１２】本発明の第３の実施の形態における重心移動部１の構成を示す断面図である。
【図１３】図１２における重り７８付近の拡大図である。
【図１４】図１２中矢印Ｗ２で示す方向から見た場合のベベルギア７５付近の構成を示す図である。
【図１５】図１２における重心移動部１の主要部材の位置関係を模式的に示す拡大図である。
【図１６】本発明の第３の実施の形態におけるネジ７６の延在方向を模式的に示す図である。
【図１７】本発明の第４の実施の形態における重心移動部１の主要部の構成を示す断面図であって、図３のＶ−Ｖ線に沿った断面図である。
【図１８】本発明の第４の実施の形態における重り５７の構成を示す、図１７中ＸＶＩＩＩ−ＸＶＩＩＩ線に沿った断面図である。
【図１９】本発明の第４の実施の形態におけるローラー３７の構成を示す、図１７中ＸＩＸ−ＸＩＸ線に沿った断面図である。
【発明を実施するための形態】
【００２８】
以下、本発明の実施の形態について、図面に基づいて説明する。
【００２９】
以下の実施の形態では、画像読取装置が、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）である場合について説明する。画像読取装置はＭＦＰである場合の他、スキャナーまたは複写機などであってもよい。
【００３０】
なお、本明細書では、読取部３０Ｂの主走査方向をｘ軸、読取部３０Ｂの副走査方向をｙ軸、読取部３０Ｂの主走査方向および副走査方向の各々に対して垂直な方向をｚ軸と規定している。
【００３１】
［第１の実施の形態］
【００３２】
始めに、本実施の形態におけるＭＦＰ１００の構成について説明する。
【００３３】
図１は、本発明の第１の実施の形態におけるＭＦＰ１００の正面側の外観を模式的に示す図である。
【００３４】
図１を参照して、本実施の形態におけるＭＦＰ１００（画像読取装置の一例）は、ＭＦＰ本体１０と、操作パネル２０と、スキャナー部３０とを主に備えている。操作パネル２０は、ＭＦＰ本体１０の前面に設けられている。操作パネル２０は、ユーザーに対して各種表示を行い、ユーザーから各種操作を受け付ける。スキャナー部３０は、ＭＦＰ本体１０の上部に設けられている。
【００３５】
図２は、本発明の第１の実施の形態におけるスキャナー部３０の構成を示す断面図である。
【００３６】
図２を参照して、スキャナー部３０は、ＡＤＦ（Ａｕｔｏ  Ｄｏｃｕｍｅｎｔ  Ｆｅｅｄｅｒ）である用紙搬送部３０Ａ（搬送手段の一例）と、読取部３０Ｂ（読取手段の一例）とを主に含んでいる。
【００３７】
用紙搬送部３０Ａは、フラットベッド３２（読取面の一例）を覆う閉じた位置と、フラットベッド３２を露出する開いた位置との間で、回転軸ＡＸ１（図３）を中心として揺動する開閉動作を行う。
【００３８】
以降、読取部３０Ｂが閉じた位置から開いた位置へ揺動する動作を開動作と記し、読取部３０Ｂが開いた位置から閉じた位置へ揺動する動作を閉動作と記すことがある。
【００３９】
用紙搬送部３０Ａが閉じた位置にあり、かつ原稿載置台３５ａに用紙Ｍが配置された状態で、操作パネル２０は、画像の読み取りの実行指示をユーザーから受け付ける。操作パネル２０が実行指示を受け付けると、用紙搬送部３０Ａは、原稿載置台３５ａに配置された用紙（原稿）Ｍを、搬送経路ＴＰに沿って読取位置ＲＰに搬送し、その後排紙トレイ３５ｂに排出する。矢印Ｓは、用紙Ｍの搬送方向を示している。搬送経路ＴＰは、用紙搬送部３０Ａの筐体の内部における、原稿載置台３５ａから排紙トレイ３５ｂまでの経路である。読取部３０Ｂは、フラットベッド３２上の読取位置ＲＰにおいて、フラットベッド３２を介して用紙Ｍの画像を読み取る。
【００４０】
用紙搬送部３０Ａは、原稿載置台３５ａと、排紙トレイ３５ｂと、ピックアップローラー３６と、給紙ローラー３７ａと、搬送ローラー３７ｂおよび３７ｃと、上流側搬送ローラー３７ｄと、下流側搬送ローラー３７ｅと、搬送ローラー３７ｆと、排紙ローラー３７ｇとを含んでいる。ピックアップローラー３６、給紙ローラー３７ａ、搬送ローラー３７ｂおよび３７ｃ、上流側搬送ローラー３７ｄ、下流側搬送ローラー３７ｅ、搬送ローラー３７ｆ、および排紙ローラー３７ｇの各々は、搬送経路ＴＰの上流側から下流側に向かってこの順序で設けられており、搬送経路ＴＰに沿って用紙Ｍを搬送する。
【００４１】
ピックアップローラー３６および給紙ローラー３７ａは、原稿載置台３５ａの用紙Ｍを１枚ずつ給紙する。搬送ローラー３７ｂおよび３７ｃ、および読取位置ＲＰの直前の上流側搬送ローラー３７ｄは、読取位置ＲＰまで用紙Ｍを搬送する。読取位置ＲＰの直後の下流側搬送ローラー３７ｅおよび搬送ローラー３７ｆは、読み込みが終わった用紙Ｍを搬送する。搬送経路ＴＰの最下流側に設けられた排紙ローラー３７ｇは、用紙Ｍを排紙トレイ３５ｂ上に排出する。
【００４２】
読取部３０Ｂは、フラットベッド３２と、光源３３ａと、イメージセンサ３３ｂと、ミラー３４ａ、３４ｂ、および３４ｃと、レンズ３４ｄとを含んでいる。光源３３ａは発光する。読取位置ＲＰに沿って出射された光は、読取位置ＲＰを通過する用紙Ｍの表面で反射する。反射した光は、ミラー３４ａ、３４ｂ、および３４ｃにおいてさらに反射して、レンズ３４ｄで集束されてイメージセンサ３３ｂに入射する。イメージセンサ３３ｂは、用紙Ｍの表面の画像を画像データとして読み取る。イメージセンサ３３ｂは、たとえばＣＣＤ（Ｃｈａｒｇｅ−Ｃｏｕｐｌｅｄ  Ｄｅｖｉｃｅ）よりなっている。
【００４３】
図３は、本発明の第１の実施の形態におけるスキャナー部３０の背面側の外観を模式的に示す図である。
【００４４】
図３を参照して、ＭＦＰ１００は、読取部３０Ｂに対して用紙搬送部３０Ａを揺動可能に支持する２つのヒンジ４０ａおよび４０ｂ（第１および第２のヒンジの一例）をさらに備えている。用紙搬送部３０Ａの構造体は、主にヒンジ４０ａに近い領域ＲＥＧ１の側（構造体側）に存在している。ヒンジ４０ｂに近い領域ＲＥＧ２の側（原稿積載側）には、原稿が載置される場合があるものの、用紙搬送部３０Ａの構造体はほとんど存在していない。このため、原稿が載置されない場合（言い換えれば、用紙搬送部３０Ａが開閉動作を行う場合）には、ヒンジ４０ａが用紙搬送部３０Ａから受ける荷重は、ヒンジ４０ｂが用紙搬送部３０Ａから受ける荷重よりも大きい。上記の事情から、一般的に、ヒンジ４０ａが用紙搬送部３０Ａに与える回転モーメントは、ヒンジ４０ｂが用紙搬送部３０Ａに与える回転モーメントよりも大きい。
【００４５】
図４は、本発明の第１の実施の形態におけるヒンジ４０ｂの構成を模式的に示す、図３のＩＶ−ＩＶ線に沿った断面図である。なお、図４では、用紙搬送部３０Ａが開いた位置にある場合のヒンジ４０ｂの構成を示している。矢印ＯＰは、読取部３０Ｂが閉じた位置から開いた位置へ揺動する開動作の方向である。
【００４６】
図４を参照して、ヒンジ４０ａおよび４０ｂは同様の構成を有しているので、ここではヒンジ４０ｂの構成について説明する。ヒンジ４０ｂは、軸部４２と、取付部材４３および４４（第１および第２の部材の一例）と、緩衝部材４５と、カム部材４６と、ハウジング４７とを主に含んでいる。
【００４７】
軸部４２は、回転軸ＡＸ１に沿って延在している。回転軸ＡＸ１はｙ軸に対して平行に延在している。
【００４８】
取付部材４３および４４は、軸部４２に連結されている。取付部材４３は読取部３０Ｂに固定されている。取付部材４４は用紙搬送部３０Ａに固定されている。取付部材４４は、用紙搬送部３０Ａとともに回転軸ＡＸ１を中心として取付部材４３に対して相対的に揺動する。
【００４９】
緩衝部材４５は、圧縮されたバネよりなっており、用紙搬送部３０Ａに対して回転モーメントを与える。緩衝部材４５は、取付部材４４の揺動に応じて伸縮する。緩衝部材４５の一端は、ハウジング４７に収容されており、ハウジング４７を介して取付部材４３に固定されている。緩衝部材４５の他端は、ハウジング４７に収容されており、ハウジング４７を介して取付部材４４の軸４４ａに係止されている。
【００５０】
カム部材４６は、取付部材４３に固定されている。カム部材４６のカム面４６ａには、ハウジング４７の接触部４７ａが接触している。接触部４７ａは、取付部材４４の揺動に従ってカム面４６ａと摺動し、カム面４６ａとの接触位置を変える。これにより、緩衝部材４５が伸縮し、用紙搬送部３０Ａに対して加える回転モーメントが変化する。
【００５１】
カム部材４６のカム面４６ａの形状は、回転軸ＡＸ１を中心とした用紙搬送部３０Ａの重みによる回転モーメントや、所望の開閉動作条件などを考慮して適宜設定される。
【００５２】
図５は、本発明の第１の実施の形態における重心移動部１の構成を示す断面図であって、図３のＶ−Ｖ線に沿った断面図である。図６は、図５におけるプーリー５４付近の拡大図である。図７は、用紙搬送部３０Ａが閉じた位置にある状態で、図５中上側から見た場合のプーリー５４付近の拡大図である。なお、図５および図６では、用紙搬送部３０Ａが開いた位置にある場合の重心移動部１の構成を示している。図６中点線は、用紙搬送部３０Ａが閉じた位置にある場合の用紙搬送部３０Ａの筐体およびギヤ５２の位置を示している。
【００５３】
図５〜図７を参照して、スキャナー部３０は、用紙搬送部３０Ａの筐体の内部に重心移動部１（重心移動手段の一例）をさらに備えている。重心移動部１は、使用による用紙搬送部３０Ａの開閉動作の回数の増加に応じて、用紙搬送部３０Ａの重心の位置を回転軸ＡＸ１に接近する方向に移動させる。続いて、本実施の形態における重心移動部１の構成および動作について説明する。
【００５４】
本実施の形態における重心移動部１は、ギヤ５１（第１の歯車の一例）と、ギヤ５２（第２の歯車の一例）と、ワンウェイクラッチ５３と、プーリー５４および５５（第１および第２のプーリーの一例）と、ワイヤー５６（懸架部材の一例）と、重り５７とを含んでいる。プーリー５４および５５、ならびにワイヤー５６は、回転により重り５７を移動させる回転部材を構成している。
【００５５】
ギヤ５１は、軸部４２に固定されており、回転軸ＡＸ１に一致する中心軸を有している。ギヤ５１は回転しない。
【００５６】
ギヤ５２、ワンウェイクラッチ５３、およびプーリー５４の各々は、回転軸ＡＸ２を中心として同軸で回転可能である。回転軸ＡＸ１と回転軸ＡＸ２とは互いに平行である。ギヤ５２、ワンウェイクラッチ５３、ならびにプーリー５４および５５の各々は、ｘｚ平面内において回転する。
【００５７】
ギヤ５２は、用紙搬送部３０Ａの筐体に回転可能に支持されており、ギヤ５１と噛み合っている。ギヤ５２は、用紙搬送部３０Ａが開動作を行う場合に矢印ＡＲ１で示す方向に回転し、用紙搬送部３０Ａが閉動作を行う場合に矢印ＡＲ１とは逆の方向に回転する。
【００５８】
ワンウェイクラッチ５３は、ギヤ５２とプーリー５４とを連結している。ワンウェイクラッチ５３は、用紙搬送部３０Ａが開動作を行う場合にギヤ５２の回転力（矢印ＡＲ１で示す方向の回転力）を回転部材に伝達し、用紙搬送部３０Ａが閉動作を行う場合にギヤ５２の回転力（矢印ＡＲ１とは逆の方向の回転力）を回転部材に伝達しない。
【００５９】
プーリー５４は、プーリー５５よりも回転軸ＡＸ１に近い側に設けられており、用紙搬送部３０Ａの筐体に回転可能に支持されている。プーリー５４は、ワンウェイクラッチ５３から伝達された回転力により、矢印ＡＲ１で示す方向に回転する。
【００６０】
プーリー５５は、プーリー５４よりも回転軸ＡＸ１から遠い側に設けられており、用紙搬送部３０Ａの筐体に回転可能に支持されている。プーリー５５は、プーリー５４およびワイヤー５６を介して伝達された回転力により、矢印ＡＲ２で示す方向に回転する。
【００６１】
ワイヤー５６は、プーリー５４および５５に懸架されており、プーリー５４および５５に巻き付けられている。ワイヤー５６は、プーリー５４に従動し、矢印ＡＲ３で示す方向に回転する。これにより、なお、ワイヤー５６はタイミングベルトなどであってもよい。
【００６２】
重り５７は、ワイヤー５６の特定の位置に固定されている。
【００６３】
プーリー５４および５５、ならびにワイヤー５６の各々は、用紙搬送部３０Ａが一回の開閉動作を行う度に、微少量だけ回転する。重り５７は、用紙搬送部３０Ａが一回の開閉動作を行う度に、ワイヤー５６とともに矢印ＡＲ３で示す方向に微小距離（一定値）だけ移動する。これにより、重り５７は、用紙搬送部３０Ａの開閉動作の回数の増加に応じて回転軸ＡＸ１に徐々に接近する。用紙搬送部３０Ａの重心の位置も、回転軸ＡＸ１に徐々に接近する方向（矢印ＡＲ３で示す方向）に移動する。
【００６４】
重り５７の移動方向（用紙搬送部３０Ａが閉じた位置にある場合のワイヤー５６の延在方向）は、読取部３０Ｂの主走査方向（ｘ軸方向）に対して平行であってもよいし、読取部３０Ｂの主走査方向に対して傾斜した方向であってもよい。
【００６５】
重心移動部１は、ワンウェイクラッチ５３の作用により、重り５７を回転軸ＡＸ１から遠ざける方向に移動させることはなく、用紙搬送部３０Ａの重心の位置を回転軸ＡＸ１から遠ざける方向に移動させることはない。
【００６６】
重り５７が最終位置（たとえばプーリー５４に接触する位置）に到達するまでの用紙搬送部３０Ａの開閉動作の回数は、用紙搬送部３０Ａが寿命に達するまでに予想される用紙搬送部３０Ａの開閉動作の回数よりも多いことが好ましい。重り５７が最終位置に到達するまでの用紙搬送部３０Ａの開閉動作の回数は、ギヤ５１とギヤ５２との歯車比、ワイヤー５６の長さ、または重り５７を設ける位置などによって調整可能である。
【００６７】
［第２の実施の形態］
【００６８】
図８は、本発明の第２の実施の形態における重心移動部１の構成を示す断面図であって、図３のＶＩＩＩ−ＶＩＩＩ線に沿った断面図である。図９は、図８におけるギヤ６６付近の拡大図である。図１０は、図９中矢印Ｗ１で示す方向から見た場合の重心移動部１の構成を示す図である。なお図１０では、用紙搬送部３０Ａが開いた位置にある場合の重心移動部１の構成を示している。図１０中点線は、用紙搬送部３０Ａが閉じた位置にある場合の用紙搬送部３０Ａの筐体、ギヤ６２、およびラック６３の位置を示している。
【００６９】
図８〜図１０を参照して、本実施の形態における重心移動部１は、ギヤ６１（第１の歯車の一例）と、ギヤ６２（第２の歯車の一例）と、ラック６３と、ギヤ６４（第３の歯車の一例）と、ワンウェイクラッチ６５と、ギヤ６６（回転部材の一例）と、重り６７とを含んでいる。
【００７０】
ギヤ６１は、軸部４２に固定されており、回転軸ＡＸ１に一致する中心軸を有している。ギヤ６１は回転しない。
【００７１】
ギヤ６２は、回転軸ＡＸ３を中心としてｘｚ平面内において回転する。回転軸ＡＸ１と回転軸ＡＸ３とは互いに平行である。ギヤ６２は、ｘｚ平面内において回転する。ギヤ６２は、用紙搬送部３０Ａの筐体に回転可能に支持されている。ギヤ６２は、用紙搬送部３０Ａが開動作を行う場合に矢印ＡＲ１１で示す方向に回転し、用紙搬送部３０Ａが閉動作を行う場合に矢印ＡＲ１１とは逆の方向に回転する。
【００７２】
ラック６３は、歯面６３ａと、歯面６３ｂとを含んでいる。歯面６３ａおよび６３ｂは、互いに異なる２つの平面の各々の内部（ここでは互いに直交する２つの平面の各々の内部）に存在している。ラック６３は、歯面６３ａにおいてギヤ６２と噛み合っており、歯面６３ｂにおいてギヤ６４と噛み合っている。ラック６３はｘ軸方向に延在しており、ｘ軸方向に移動可能である。ラック６３は、用紙搬送部３０Ａが開動作を行う場合に矢印ＡＲ１２で示す方向に移動し、用紙搬送部３０Ａが閉動作を行う場合に矢印ＡＲ１２とは逆の方向に移動する。これにより、ラック６３は、ギヤ６２の回転力を、回転方向を変えてギヤ６４に伝達する。
【００７３】
ギヤ６４、ワンウェイクラッチ６５、およびギヤ６６の各々は、回転軸ＡＸ４を中心として同軸で回転可能である。回転軸ＡＸ１およびＡＸ３の各々と、回転軸ＡＸ４とは互いに異なっており、直交している。ギヤ６４、ワンウェイクラッチ６５、およびギヤ６６の各々は、用紙搬送部３０Ａが閉じた位置にある場合にｘｙ平面内において回転する。
【００７４】
ギヤ６４は、用紙搬送部３０Ａの筐体に回転可能に支持されている。ギヤ６４は、用紙搬送部３０Ａが開動作を行う場合に矢印ＡＲ１３で示す方向に回転し、用紙搬送部３０Ａが閉動作を行う場合に矢印ＡＲ１３とは逆の方向に回転する。
【００７５】
ワンウェイクラッチ６５は、ギヤ６４とギヤ６６とを連結している。ワンウェイクラッチ６５は、用紙搬送部３０Ａが開動作を行う場合にギヤ６４の回転力（矢印ＡＲ１３で示す方向の回転力）をギヤ６６に伝達し、用紙搬送部３０Ａが閉動作を行う場合にギヤ６４の回転力（矢印ＡＲ１３とは逆の方向の回転力）をギヤ６６に伝達しない。
【００７６】
ギヤ６６は、ワンウェイクラッチ６５から伝達された回転力により、矢印ＡＲ１３で示す方向に回転する。
【００７７】
重り６７は、ギヤ６６の特定の位置に固定されており、ギヤ６６から外方に延在している。
【００７８】
図１１は、本発明の第２の実施の形態における用紙搬送部３０Ａの重心の位置の変化を模式的に示す図である。
【００７９】
図８および図１１を参照して、ギヤ６６は、用紙搬送部３０Ａが一回の開閉動作を行う度に、微少量だけ回転する。重り６７は、用紙搬送部３０Ａが一回の開閉動作を行う度に、ギヤ６６の回転に従って、回転軸ＡＸ４を中心として矢印ＡＲ１４で示す方向に微小距離（一定値）だけ揺動する。これにより、重り６７は、用紙搬送部３０Ａの開閉動作の回数の増加に応じて回転軸ＡＸ１に徐々に接近する。用紙搬送部３０Ａの重心の位置も、重心Ｇ１→重心Ｇ２→重心Ｇ３というように回転軸ＡＸ１に徐々に接近する方向（矢印ＡＲ１４で示す方向）に移動する。
【００８０】
また、ヒンジ４０ａと回転軸ＡＸ４（揺動軸の一例）との距離は、ヒンジ４０ｂと回転軸ＡＸ４との距離よりも小さく、重り６７は、用紙搬送部３０Ａの開閉動作の回数の増加に応じてヒンジ４０ｂに接近する方向に揺動する。
【００８１】
図３を用いて説明したように、一般的に、ヒンジ４０ａが用紙搬送部３０Ａに与える回転モーメントは、ヒンジ４０ｂが用紙搬送部３０Ａに与える回転モーメントよりも大きい。このため、ヒンジ４０ａの方がヒンジ４０ｂよりも劣化が早くなる。そこで、本実施の形態のように、用紙搬送部３０Ａの開閉動作の回数の増加に応じて重り６７をヒンジ４０ｂに接近する方向に移動させることにより、ヒンジ４０ａに加わる荷重が低減され、ヒンジ４０ａの劣化をカバーすることができる。
【００８２】
重心移動部１は、ワンウェイクラッチ６５の作用により、重り６７を回転軸ＡＸ１から遠ざける方向に移動させることはなく、用紙搬送部３０Ａの重心の位置を回転軸ＡＸ１から遠ざける方向に移動させることはない。
【００８３】
重り６７が最終位置（たとえばｙ軸に対して平行な位置）に到達するまでの用紙搬送部３０Ａの開閉動作の回数は、用紙搬送部３０Ａが寿命に達するまでに予想される用紙搬送部３０Ａの開閉動作の回数よりも多いことが好ましい。重り６７が最終位置に到達するまでの用紙搬送部３０Ａの開閉動作の回数は、ギヤ６１とギヤ６２との歯車比、ギヤ６４とギヤ６６との歯数比、または重り６７を設ける位置などによって調整可能である。
【００８４】
なお、本実施の形態における上述以外の構成は、第１の実施の形態における構成と同様であるため、同一の部材には同一の符号を付し、その説明は繰り返さない。
【００８５】
本実施の形態の変形例として、第１の実施の形態の構成と本実施の形態１の構成とを組み合わせることにより、本実施の形態における重り（アーム）６７に対して第１の実施の形態の重心移動部１を設けてもよい。この変形例では、用紙搬送部３０Ａの開閉動作の回数の増加に応じて、重り５７が重り６７に沿って回転軸ＡＸ１に（回転軸ＡＸ４に）接近する。
【００８６】
［第３の実施の形態］
【００８７】
図１２は、本発明の第３の実施の形態における重心移動部１の構成を示す断面図である。図１３は、図１２における重り７８付近の拡大図である。図１４は、図１２中矢印Ｗ２で示す方向から見た場合のベベルギア７５付近の構成を示す図である。図１５は、図１２における重心移動部１の主要部材の位置関係を模式的に示す拡大図である。なお図１２および図１５では、用紙搬送部３０Ａが開いた位置にある場合の重心移動部１の構成を示している。図１５中点線は、用紙搬送部３０Ａが閉じた位置にある場合の用紙搬送部３０Ａの筐体およびベベルギア７４の位置を示している。
【００８８】
図１２〜図１５を参照して、本実施の形態における重心移動部１は、ギヤ７１（第１の歯車の一例）と、ギヤ７２（第２の歯車の一例）と、ワンウェイクラッチ７３と、ベベルギア７４（第１のべべルギアの一例）と、ベベルギア７５（第２のべべルギアの一例）と、ネジ７６と、ガイド７７ａおよびホルダー７７ｂと、重り７８と、軸受７９ａおよび７９ｂとを含んでいる。ベベルギア７４および７５、ならびにネジ７６は、回転により重り７８を移動させる回転部材を構成している。
【００８９】
ギヤ７１は、軸部４２に固定されており、回転軸ＡＸ１に一致する中心軸を有している。ギヤ７１は回転しない。
【００９０】
ギヤ７２、ワンウェイクラッチ７３、およびベベルギア７４の各々は、回転軸ＡＸ５を中心として同軸で回転可能である。回転軸ＡＸ１と回転軸ＡＸ５とは互いに平行である。ギヤ７２、ワンウェイクラッチ７３、ならびにベベルギア７４の各々は、ｘｚ平面内において回転する。
【００９１】
ギヤ７２は、用紙搬送部３０Ａの筐体に対して回転可能に支持されており、ギヤ７１と噛み合っている。ギヤ７２は、用紙搬送部３０Ａが開動作を行う場合に矢印ＡＲ２１で示す方向に回転し、用紙搬送部３０Ａが閉動作を行う場合に矢印ＡＲ２１とは逆の方向に回転する。
【００９２】
ワンウェイクラッチ７３は、ギヤ７２とベベルギア７４とを連結している。ワンウェイクラッチ７３は、用紙搬送部３０Ａが開動作を行う場合にギヤ７２の回転力（矢印ＡＲ２１で示す方向の回転力）を回転部材に伝達し、用紙搬送部３０Ａが閉動作を行う場合にギヤ７２の回転力（矢印ＡＲ２１とは逆の方向の回転力）を回転部材に伝達しない。
【００９３】
ベベルギア７４は、ギヤ７２もネジ７６に近い側に設けられており、用紙搬送部３０Ａの筐体に対して回転可能に支持されている。ベベルギア７４は、ワンウェイクラッチ７３から伝達された回転力により、矢印ＡＲ２１で示す方向に回転する。
【００９４】
ベベルギア７５はベベルギア７４と噛み合っている。ベベルギア７５は回転軸ＡＸ６においてネジ７６に固定されている。ベベルギア７５およびネジ７６の各々は、回転軸ＡＸ６を中心として同軸で回転可能である。回転軸ＡＸ５と回転軸ＡＸ６とは互いに直交している。これにより、ベベルギア７５は、ギヤ７２の回転力を、回転方向を変えてネジ７６に伝達する。
【００９５】
ネジ７６は、回転軸ＡＸ１に接近する方向に延在している。ネジ７６の外周面には雄ねじが形成されている。ネジ７６の両端部は、用紙搬送部３０Ａの筐体に固定された軸受７９ａおよび７９ｂの各々によって回転可能に支持されている。ベベルギア７５およびネジ７６は、ワンウェイクラッチ５３から伝達された回転力により、矢印ＡＲ２２で示す方向に回転する。
【００９６】
重り７８は、内周に雌ねじが形成された貫通孔７８ａを含んでいる。貫通孔７８ａにはネジ７６が挿入されており、ネジ７６の雄ねじと貫通孔７８ａの雌ねじとが噛み合っている。
【００９７】
ガイド７７ａは、用紙搬送部３０Ａの筐体に固定されており、ネジ７６に対して平行に延在している。重り７７は、ホルダー７７ｂに取り付けられている。ホルダー７７ｂは、ガイド７７ａに取り付けられており、ガイド７７ａに沿って移動可能である。
【００９８】
ベベルギア７５およびネジ７６は、用紙搬送部３０Ａが一回の開閉動作を行う度に、微少量だけ回転する。ネジ７６と重り７８の噛み合いの位置は、用紙搬送部３０Ａが一回の開閉動作を行う度に変化し、重り７８は、矢印ＡＲ２３で示す回転軸ＡＸ１に接近する方向に微小距離（一定値）だけ移動する。これにより、重り７８は、用紙搬送部３０Ａの開閉動作の回数の増加に応じて回転軸ＡＸ１に徐々に接近する。用紙搬送部３０Ａの重心の位置も、回転軸ＡＸ１に徐々に接近する方向に移動する。
【００９９】
図１６は、本発明の第３の実施の形態におけるネジ７６の延在方向を模式的に示す図である。
【０１００】
図１６を参照して、ネジ７６の延在方向（重り７８の移動方向）は、たとえば方向ＯＲ１で示すように、用紙搬送部３０Ａが閉じた位置にある場合に、ｘ軸に対して平行な方向に延在する方向であってもよい。また、方向ＯＲ２で示すように、回転軸ＡＸ１から相対的に遠い側の端部から回転軸ＡＸ１に相対的に近い側の端部へ向かうに従って、基準線ＳＬ１から離れて基準線ＳＬ２に接近するような位置に存在していてもよい。基準線ＳＬ１は、ヒンジ４０ａから読取部３０Ｂの主走査方向に延在する線である。基準線ＳＬ２は、ヒンジ４０ｂから読取部３０Ｂの主走査方向に延在する線である。なお、方向ＯＲ１およびＯＲ２は、用紙搬送部３０Ａが閉じた位置にある場合にｘｙ平面内に存在する方向である。
【０１０１】
特に、ネジ７６の延在方向を方向ＯＲ２とした場合には、用紙搬送部３０Ａの開閉動作の回数の増加に応じて重り７８がヒンジ４０ｂに接近する方向に移動するので、ヒンジ４０ａに加わる荷重が低減され、ヒンジ４０ａの劣化をカバーすることができる。
【０１０２】
重心移動部１は、ワンウェイクラッチ７３の作用により、重り７８を回転軸ＡＸ１から遠ざける方向に移動させることはなく、用紙搬送部３０Ａの重心の位置を回転軸ＡＸ１から遠ざける方向に移動させることはない。
【０１０３】
重り７８が最終位置（たとえば軸受７９ｂに接触する位置）に到達するまでの用紙搬送部３０Ａの開閉動作の回数は、用紙搬送部３０Ａが寿命に達するまでに予想される用紙搬送部３０Ａの開閉動作の回数よりも多いことが好ましい。重り７８が最終位置に到達するまでの用紙搬送部３０Ａの開閉動作の回数は、ギヤ７１とギヤ７２との歯車比、ベベルギア７４とベベルギア７５との歯車比、ネジ７６の長さ、または重り７８を設ける位置などによって調整可能である。
【０１０４】
なお、本実施の形態における上述以外の構成は、第１の実施の形態における構成と同様であるため、同一の部材には同一の符号を付し、その説明は繰り返さない。
【０１０５】
［第４の実施の形態］
【０１０６】
本実施の形態では、用紙搬送部３０Ａの筐体内における、第１の実施の形態の重心移動部１の好ましい配置例について説明する。
【０１０７】
図１７は、本発明の第４の実施の形態における重心移動部１の主要部の構成を示す断面図であって、図３のＶ−Ｖ線に沿った断面図である。図１８は、本発明の第４の実施の形態における重り５７の構成を示す、図１７中ＸＶＩＩＩ−ＸＶＩＩＩ線に沿った断面図である。図１９は、本発明の第４の実施の形態におけるローラー３７の構成を示す、図１７中ＸＩＸ−ＸＩＸ線に沿った断面図である。
【０１０８】
図１７〜図１９を参照して、第１の実施の形態の重心移動部１において、ワイヤー５６の特定の位置には、ホルダー８１（回転支持部材の一例）が固定されている。ホルダー８１はワイヤー５６に懸架されている。ホルダー８１には重り５７が回転可能に支持されている。
【０１０９】
重り５７は、フライホイールよりなっている。重り５７は、円筒形状の重り本体５７ａと、重り本体５７ａの内周面から突出した突起５７ｂとを含んでいる。
【０１１０】
ローラー３７（回転体の一例）は、たとえば、図２のピックアップローラー３６、給紙ローラー３７ａ、搬送ローラー３７ｂ、搬送ローラー３７ｃ、上流側搬送ローラー３７ｄ、下流側搬送ローラー３７ｅ、搬送ローラー３７ｆ、および排紙ローラー３７ｇのうちいずれかのローラーに該当するものである。ローラー３７は、用紙Ｍと接触する部分である２つのローラー部８２と、２つのローラー部８２を連結する軸部８３とを含んでいる。ローラー３７は、用紙Ｍの搬送を行う際に、軸部８３を中心として矢印ＡＲ３１で示す方向に回転する。軸部８３およびワイヤー５６はいずれも、用紙搬送部３０Ａが閉じた位置にある場合に、ｘ軸方向に延在している。
【０１１１】
軸部８３は、円柱状の軸本体８３ａと、溝８３ｂとを含んでいる。溝８３ｂは、軸本体８３ａの外周の一部において、軸本体８３ａの延在方向に沿って形成されている。溝８３ｂには、重り５７の突起５７ｂが嵌め込まれている。これにより、重り５７は、ローラー３７と一体的に回転する。
【０１１２】
ワイヤー５６は、用紙搬送部３０Ａが一回の開閉動作を行う度に、矢印ＡＲ３で示す方向に微少量だけ回転する。重り５７は、用紙搬送部３０Ａが一回の開閉動作を行う度に、ワイヤー５６とともに微小距離（一定値）だけ移動する。重り５７の突起５７ｂは軸本体８３ａの延在方向である矢印ＡＲ３２で示す方向に、溝８３ｂ内をスライドする。
【０１１３】
なお、本実施の形態における上述以外の構成は、第１の実施の形態における構成と同様であるため、同一の部材には同一の符号を付し、その説明は繰り返さない。
【０１１４】
［実施の形態の効果］
【０１１５】
上述の実施の形態によれば、用紙搬送部３０Ａの開閉動作の回数の増加に応じて、用紙搬送部３０Ａの重心の位置が回転軸ＡＸ１に接近する方向に移動するため、用紙搬送部３０Ａが開いた位置を維持するのに必要な回転モーメントが小さくなる。これにより、用紙搬送部３０Ａの開閉動作の回数が増加するに従って、ヒンジ４０ａおよび４０ｂの回転モーメントが低下した場合であっても、用紙搬送部３０Ａが開動作を行う際に必要なユーザーの力が大きくなったり、ＡＤＦを開いた位置のまま静止させることが困難になったりする現象を抑止することができ、使用による品質の低下を抑止することができる。
【０１１６】
また、第２の実施の形態によれば、２つのヒンジ４０ａおよび４０ｂの間に劣化の進み具合（へたり具合）の差が生じていても、用紙搬送部３０Ａの重心を調整することによりその差を補うことができる。
【０１１７】
また、第４の実施の形態によれば、ローラー３７に設けられる既存の部品であるフライホイールを重りとして活用することができるため、コストの低減および装置構成の小型化を図ることができる。
【０１１８】
［その他］
【０１１９】
上述の実施の形態において、ワンウェイクラッチは、用紙搬送部３０Ａが閉動作を行う場合に歯車の回転力を回転部材に伝達し、用紙搬送部３０Ａが開動作を行う場合に歯車の回転力を回転部材に伝達しないものであってもよい。
【０１２０】
上述の実施の形態において直接的に噛み合っている歯車は、他の歯車を介して間接的に噛み合うものであってもよい。
【０１２１】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１２２】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２３】
１  重心移動部（重心移動手段の一例）
１０  ＭＦＰ（Ｍｕｌｔｉｆｕｎｃｔｉｏｎ  Ｐｅｒｉｐｈｅｒａｌ）本体
２０  操作パネル
３０  スキャナー部
３０Ａ  用紙搬送部（搬送手段の一例）
３０Ｂ  読取部（読取手段の一例）
３２  フラットベッド（読取面の一例）
３３ａ  光源
３３ｂ  イメージセンサ
３４ａ，３４ｂ，３４ｃ  ミラー
３４ｄ  レンズ
３５ａ  原稿載置台
３５ｂ  排紙トレイ
３６  ピックアップローラー
３７  ローラー（回転体の一例）
３７ａ  給紙ローラー
３７ｂ，３７ｃ，３７ｆ  搬送ローラー
３７ｄ  上流側搬送ローラー
３７ｅ  下流側搬送ローラー
３７ｇ  排紙ローラー
４０ａ，４０ｂ  ヒンジ（第１および第２のヒンジの一例）
４２  軸部
４３，４４  取付部材（第１および第２の部材の一例）
４４ａ  取付部材４４の軸
４５  緩衝部材
４６  カム部材
４６ａ  カム面
４７  ハウジング
４７ａ  ハウジングの接触部
５１，５２，６１，６２，６４，６６，７１，７２  ギヤ
５３，６５，７３  ワンウェイクラッチ
５４，５５  プーリー（第１および第２のプーリーの一例）
５６  ワイヤー（懸架部材の一例）
５７，６７，７８  重り
５７ａ  重りの本体
５７ｂ  重りの突起
６３  ラック
６３ａ，６３ｂ  ラックの歯面
７４，７５  ベベルギア（第１および第２のベベルギアの一例）
７６  ネジ
７７ａ  ガイド
７７ｂ，８１  ホルダー（回転支持部材の一例）
７８ａ  重り７８の貫通孔
７９ａ，７９ｂ  軸受
８２  ローラー部
８３  軸部
８３ａ  軸部の軸本体
８３ｂ  軸部の溝
１００  ＭＦＰ
ＡＸ１，ＡＸ２，ＡＸ３，ＡＸ４，ＡＸ５，ＡＸ６  回転軸
Ｇ１，Ｇ２，Ｇ３  用紙搬送部３０Ａの重心
Ｍ  用紙
ＯＲ１，ＯＲ２  ネジ７６の延在方向
ＲＥＧ１，ＲＥＧ２  領域
ＲＰ  読取位置
ＳＬ１，ＳＬ２  基準線
ＴＰ  搬送経路
【図１】
2018067777.tif 000003
【図２】
2018067777.tif 000004
【図３】
2018067777.tif 000005
【図４】
2018067777.tif 000006
【図５】
2018067777.tif 000007
【図６】
2018067777.tif 000008
【図７】
2018067777.tif 000009
【図８】
2018067777.tif 000010
【図９】
2018067777.tif 000011
【図１０】
2018067777.tif 000012
【図１１】
2018067777.tif 000013
【図１２】
2018067777.tif 000014
【図１３】
2018067777.tif 000015
【図１４】
2018067777.tif 000016
【図１５】
2018067777.tif 000017
【図１６】
2018067777.tif 000018
【図１７】
2018067777.tif 000019
【図１８】
2018067777.tif 000020
【図１９】
2018067777.tif 000021